【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
式（Ｉ）
Ｐ−（Ｒ）n（Ｉ）
（式中、
Ｐは、ビニルアルコールのホモポリマーまたはビニルアルコールと少なくとも１種の他のモノマーのコポリマーである直鎖または分枝鎖のポリマー主鎖を表し、前記ホモポリマーまたはコポリマーは、１つ以上の反応性カップリング基を含み、
Ｒは、該反応性カップリング基（単数または複数）を介して該ポリマーに結合したアミノシランおよび／またはアミノシラノール含有側鎖を表し、
ｎは、該ポリマー主鎖の約１〜約２５ｍｏｌ％の量で存在する側鎖の数を表し、
ただし、Ｐが、ビニルアルコールのホモポリマーを表す場合、Ｒは、３−アミノプロピルトリエトキシシランから誘導される側鎖ではない）
のビニルアルコールの官能化ホモポリマーまたはコポリマー。
【請求項２】
Ｐが、ポリ（ビニルアルコール）を表す、請求項１に記載のポリマー。
【請求項３】
Ｐが、ビニルアルコールとオレフィン、例えばエチレンまたはプロピレン、好ましくはエチレンのコポリマーを表す、請求項１に記載のポリマー。
【請求項４】
オレフィンが、コポリマー主鎖の約１〜約５０ｍｏｌ％、例えば約２〜約４０ｍｏｌ％、好ましくは約５〜約２０ｍｏｌ％の量で存在する、請求項３に記載のポリマー。
【請求項５】
Ｐが、ビニルアルコールとアルケン含有モノマー、好ましくはアクリルまたはメタクリルモノマーのコポリマーを表す、請求項１に記載のポリマー。
【請求項６】
アクリルモノマーが、アクリル酸、アクリロニトリルおよびアクリルアミドからなる群から選択される、請求項５に記載のポリマー。
【請求項７】
メタクリルモノマーが、メタクリル酸、メタクリル酸メチル、アクリル酸２−ヒドロキシエチル、メタクリル酸ヒドロキシル、メタクリル酸エチルおよびメタクリル酸ｎ−ブチルからなる群から選択される、請求項５に記載のポリマー。
【請求項８】
Ｐが、ビニルアルコールとメタクリル酸アセトアセトキシエチルのコポリマーを表す、請求項１に記載のコポリマー。
【請求項９】
反応性カップリング基が、ケトンまたはケトエステル含有官能基、好ましくはケトエステル含有官能基を含む、請求項１に記載のコポリマー。
【請求項１０】
反応性カップリング基が、アセトアセチル化剤から誘導されたケトエステル含有官能基を含む、請求項９に記載のコポリマー。
【請求項１１】
アセトアセチル化剤が、ジケテン、ジケテンアセトン付加物またはアセト酢酸アルキル、例えばアセト酢酸メチル、エチル、ｔｅｒｔ−ブチルもしくはｔｅｒｔ−ペンチルである、請求項１０に記載のコポリマー。
【請求項１２】
ケトエステル含有官能基が、部分−Ｏ（ＣＯ）ＣＨ−Ｃ（ＣＨ3）＝Ｏを含む、請求項１０または１１に記載のコポリマー。
【請求項１３】
ケトンまたはケトエステル含有官能基が、ポリマー主鎖の約１〜約５０ｍｏｌ％、例えば約２〜約１５ｍｏｌ％、好ましくは約３〜約８ｍｏｌ％の量で存在する、請求項９から１２のいずれか一項に記載のコポリマー。
【請求項１４】
側鎖Ｒが、一般式（ＩＩ）
【化１】
2014518310.tif 000001
（式中、
Ｒ1、Ｒ2およびＲ3は、独立して、Ｈ、Ｃ1-9アルキル、アリール、Ｃ1-9アルコキシまたはアリールオキシを表し、ただし、Ｒ1、Ｒ2またはＲ3のうち少なくとも１つはＣ1-9アルコキシもしくはアリールオキシ基を表し、
ｘは、０〜９、好ましくは０〜２の範囲にあり、
ｙは、１〜９、好ましくは２〜６の範囲である）
の化合物から誘導される、請求項１から１３のいずれかに記載のコポリマー。
【請求項１５】
ｘが０、１または２であり、ｙが３である、請求項１４に記載のコポリマー。
【請求項１６】
Ｒ1、Ｒ2およびＲ3のうち少なくとも２つが、独立して、Ｃ1-9アルコキシを表し、好ましくはメトキシ、エトキシ、プロポキシおよびブトキシからなる群から選択される、請求項１４または１５に記載のコポリマー。
【請求項１７】
側鎖Ｒが、以下の化合物：アミノエチルトリエトキシシラン、２−アミノエチルトリメトキシシラン、２−アミノエチルトリエトキシシラン、２−アミノエチルトリプロポキシシラン、２−アミノエチルトリブトキシシラン、１−アミノエチルトリメトキシシラン、１−アミノエチルトリエトキシシラン、３−アミノプロピルトリメトキシシラン、３−アミノプロピルトリエトキシシラン、３−アミノプロピルトリプロポキシシラン、３−アミノプロピルトリブトキシシラン、３−アミノプロピルメチルジメトキシシラン、３−アミノプロピルエチルジメトキシシラン、３−アミノプロピル−３−アミノプロピルジエチルエトキシシランエチルジエトキシシラン、３−アミノプロピルメチルジプロポキシシラン、３−アミノプロピルエチルジプロポキシシラン、３−アミノプロピルプロピルジプロポキシシラン、３−アミノプロピルジメチルメトキシシラン、３−アミノプロピルジメチルエトキシシラン、３−アミノプロピルジエチルエトキシシラン、３−アミノプロピルジメチルプロポキシシラン、３−アミノプロピルジエチルプロポキシシラン、３−アミノプロピルジプロピルプロポキシシラン、２−アミノプロピルトリメトキシシラン、２−アミノプロピルトリエトキシシラン、２−アミノプロピルトリプロポキシシラン、２−アミノプロピルトリブトキシシラン、１−アミノプロピルトリメトキシシラン、１−アミノプロピルトリエトキシシラン、１−アミノプロピルトリプロポキシシラン、１−アミノプロピルトリブトキシシラン、Ｎ−アミノメチルアミノメチルトリメトキシシラン、Ｎ−アミノメチルアミノメチルトリプロポキシシラン、Ｎ−アミノメチル−２−アミノエチルトリメトキシシラン、Ｎ−アミノメチル−２−アミノエチルトリエトキシシラン、Ｎ−アミノメチル−２−アミノエチルトリプロポキシシラン、Ｎ−アミノメチル−３−アミノプロピルトリメトキシシラン、Ｎ−アミノメチル−３−アミノプロピルトリエトキシシラン、Ｎ−アミノメチル−３−アミノプロピルトリプロポキシシラン、Ｎ−アミノメチル−２−アミノプロピルトリメトキシシラン、Ｎ−アミノメチル−２−アミノプロピルトリエトキシシラン、Ｎ−アミノメチル−２−アミノプロピルトリプロポキシシラン、Ｎ−アミノプロピルトリメトキシシラン、Ｎ−アミノプロピルトリエトキシシラン、Ｎ−（２−アミノエチル）−２−アミノエチルトリメトキシシラン、Ｎ−（２−アミノエチル）−２−アミノエチルトリエトキシシラン、Ｎ−（２−アミノエチル）−２−アミノエチルトリプロポキシシラン、Ｎ−（２−アミノエチル）−アミノエチルトリメトキシシラン、Ｎ−（２−アミノエチル）−１−アミノエチルトリエトキシシラン、Ｎ−（２−アミノエチル）−１−アミノエチルトリプロポキシシラン、Ｎ−（２−アミノエチル）−３−アミノプロピルトリエトキシシラン、Ｎ−（２−アミノエチル）−３−アミノプロピルトリプロポキシシラン、Ｎ−（３−アミノプロピル）−２−アミノエチルトリメトキシシラン、Ｎ−（３−アミノプロピル）−２−アミノエチルトリエトキシシラン、Ｎ−（３−アミノプロピル）−２−アミノエチルトリプロポキシシラン、Ｎ−メチル−３−アミノプロピルトリメトキシシラン、３−アミノプロピルメチルジメトキシシラン、３−アミノプロピルメチルジエトキシシラン、Ｎ−（２−アミノエチル）−３−アミノプロピルメチルジメトキシシラン、３−ジエチレン３−ジエチレントリアミンプロピルトリエトキシシラン、３−［２−（２−アミノエチルアミノエチルアミノ）プロピル］トリメトキシシラン、３−［２−（２−アミノエチルアミノエチルアミノ）プロピル］トリエトキシシラン、３−［２−（２−アミノエチルアミノエチルアミノ）プロピル］トリプロポキシシランおよび／またはトリメトキシシリルプロピルジエチレントリアミンの１種以上から誘導される、請求項１４に記載のコポリマー。
【請求項１８】
側鎖Ｒが、以下の化合物：３−アミノプロピルトリメトキシシラン、３−アミノプロピルトリエトキシシラン、Ｎ−（２−アミノエチル）−３−アミノプロピルトリメトキシシラン、Ｎ−（２−アミノエチル）−３−アミノプロピルトリエトキシシラン、３−［２−（２−アミノエチルアミノ）エチルアミノ］プロピルトリメトキシシラン、３−［２−（２−アミノエチルアミノ）エチルアミノ］プロピルトリエトキシシランおよび３−アミノプロピルメチルジメトキシシランの１種以上から誘導される、請求項１７に記載のコポリマー。
【請求項１９】
側鎖Ｒが。ポリマー主鎖に存在する反応性カップリング基の量に対して、約５〜約２００ｍｏｌ％、例えば約５０〜約１５０ｍｏｌ％、好ましくは約７５〜約１２５ｍｏｌ％の量で存在する、請求項１から１８のいずれか一項に記載のコポリマー。
【請求項２０】
側鎖Ｒが、ポリマー主鎖の約２〜約１５ｍｏｌ％の量、より好ましくは約３〜約８ｍｏｌ％の量で存在する、請求項１〜１９のいずれか一項に記載のコポリマー。
【請求項２１】
請求項１に記載のビニルアルコールの官能化ホモポリマーまたはコポリマーを調製するための方法であって、
ａ．酢酸ビニルの直鎖もしくは分枝鎖のホモポリマーまたは酢酸ビニルと少なくとも１種の他のモノマーのコポリマーを調製するステップと、
ｂ．ステップ（ａ）の酢酸ビニルのホモポリマーまたはコポリマーを加水分解し、ビニルアルコールのホモポリマーまたはコポリマーを得るステップと、
ｃ．ステップ（ｂ）のビニルアルコールのホモポリマーまたはコポリマーと適切な反応性カップリング剤を反応させ、１つ以上の反応性カップリング基を含むビニルアルコールのホモポリマーまたはコポリマーを得るステップと、
ｄ．ステップ（ｃ）の１つ以上の反応性カップリング基を含む、得られたビニルアルコールのホモポリマーまたはコポリマーと適切なアミノシランおよび／またはアミノシラノールを反応させるステップと、
ｅ．場合により、このようにして形成されたコポリマーを単離するステップと
を含む、方法。
【請求項２２】
ステップ（ｂ）が、酢酸ビニルコポリマーの部分加水分解を含む、請求項２１に記載の方法。
【請求項２３】
ステップ（ｄ）後に得られた反応混合物が、約０℃〜約１００℃の範囲、好ましくは約６０℃〜約９０℃の範囲の温度に加熱される、請求項２１または２２に記載の方法。
【請求項２４】
ステップ（ｄ）が、１つ以上の反応性カップリング基を含むビニルアルコールのホモポリマーまたはコポリマーを適切なアミノシランおよび／またはアミノシラノールの溶液に添加することによって行われる、請求項２１から２３のいずれか一項に記載の方法。
【請求項２５】
ステップ（ｄ）後に得られた反応混合物が酸で処理される、請求項２１から２４のいずれか一項に記載の方法。
【請求項２６】
ステップ（ｄ）後に得られた反応混合物が二酸化炭素で処理される、請求項２１から２５のいずれか一項に記載の方法。
【請求項２７】
コポリマーが、蒸発によって単離される、請求項２１から２６のいずれか一項に記載の方法。
【請求項２８】
請求項２１から２７のいずれか一項に記載の方法によって得ることができるまたは得られたビニルアルコールの官能化ホモポリマーまたはコポリマー。
【請求項２９】
架橋ポリマー被覆材を調製するための方法であって、
式（ＩＩＩ）
【化２】
2014518310.tif 000002
（式中、
Ｒ1、Ｒ2およびＲ3は、請求項１４に記載される通りであり、
ｘは２〜９の範囲であり、好ましくはｘは２であり、
ｙは３〜９の範囲であり、好ましくはｙは３である）
の化合物から誘導される２つ以上のアミノシランおよび／またはアミノシラノール側鎖を含むポリマーを加熱するステップを含み、酸触媒の不存在下で行われる、方法。
【請求項３０】
ポリマーが、約８０〜約１２０℃の温度に、より好ましくは約１００℃に加熱される、請求項２９に記載の方法。
【請求項３１】
請求項１から２０のいずれか一項に記載のビニルアルコールの官能化ホモポリマーまたはコポリマーと水または水とＣ1-4アルコールの混合物とを含む組成物。
【請求項３２】
被覆剤としての、請求項１から２０のいずれか一項に記載のビニルアルコールの官能化ホモポリマーまたはコポリマーの使用。
【請求項３３】
請求項１から２０のいずれか一項に記載のビニルアルコールの官能化ホモポリマーまたはコポリマーを含むインク、被覆剤、封止剤または接着剤。
【請求項３４】
ビニルアルコールの官能化ホモポリマーまたはコポリマーが結合剤として使用される、請求項３３に記載のインク、被覆剤、接着剤または封止剤。
【請求項３５】
インク、被覆剤、封止剤または接着剤中の結合剤としての、請求項１から２０のいずれか一項に記載のビニルアルコールの官能化ホモポリマーまたはコポリマーの使用。
【請求項３６】
請求項２９または３０に記載の方法によって得ることができるまたは得られた架橋ポリマー被覆剤。
【請求項３７】
添付の実施例を参照して、本明細書に実質的に記載されている、官能化ホモポリマーもしくはコポリマー、方法、架橋ポリマー、組成物、インク、被覆剤、封止剤もしくは接着剤、または使用。